(57)【要約】      （修正有）【課題】乳幼児が座り、座板に対して浅座りしても倒れを防止し得るだけではなく、座板への浅座りと併せて踏み板を併設し、浅座り且つ踏み板を用いた場合においても、倒れを防止し得る椅子を提供する。【解決手段】上部の連結部５（肘掛け杆）と、連結部の前後端部から下方に垂下された脚杆３，４とからなる左右の脚部２と、左右の脚部を繋ぎ、座部を支持する支持杆６，７とを備え、座部は、支持杆上に支持される座板９を備え、座板の前縁部９ａは、前部脚杆３の前端部よりも後方に位置するようにした。【選択図】図３
0003190785.tif 000002
【実用新案登録請求の範囲】
【請求項１】
上部の連結部と、該連結部の前後端部から下方に垂下された前後部の脚杆とからなる左右の脚部と、左右の脚部を繋ぎ、座部を支持する支持杆とを備え、
前記座部は支持杆上に支持される座板を備え、
前記座板の前縁部は、前記前部脚杆の前端部よりも後方に位置するようにした、
ことを特徴とする乳幼児用椅子。
【請求項２】
前記前後部の脚杆は、前部脚杆の下部が前方に位置するように前下傾し、後部脚杆の下部が後方に位置するように後下傾し、前記連結部は、前後部の脚杆の上部間を繋ぐ肘掛け杆であり、左右の脚は側面視略Ａ形であり、前記座板の前縁部は、前記前部脚杆よりも後方に位置していることを特徴とする請求項１記載の乳幼児用椅子。
【請求項３】
前記前部脚杆間であって、前記座板の下方には、踏み板を設けたことを特徴とする請求項１又は２記載の乳幼児用椅子。
【請求項４】
前記座板は後部から上方に延出された背板を備えることを特徴とする請求項１〜３の何れか１項に記載の乳幼児用椅子。
【請求項５】
上部の連結部と、該連結部の前後端部から下方に垂下された前後部の脚杆とからなる左右の脚と、左右の脚部を繋ぎ、座部を支持する支持杆とを備え、
前記座部は支持杆上に支持される座板と、座板は後部から上方に延出された背板を備え、
前記座部の前記座板の前縁部は、前記前部脚杆の前端部よりも後方に位置し、
前記前後部の脚杆は、前部脚杆が下部が前方に位置するように前下傾し、後部脚杆の下部が後方に位置するように後下傾し、前記連結部は、前後部の脚杆の上部間を繋ぐ肘掛け杆であり、左右の脚は側面視略Ａ形であり、前記座板の前縁部は、前記前部脚杆よりも後方に位置し、
前記前部脚杆間であって、前記座板の下方には、踏み板を設けた、
ことを特徴とする乳幼児用椅子。
【考案の詳細な説明】
【技術分野】
【０００１】
本考案は、乳幼児が用いるのに好適な椅子に関するものである。
【背景技術】
【０００２】
椅子は左右の脚部と、左右の脚部間に取り付けられ、支持される座部とからなり、座部は一般的には座板及び背板からなる。
従来の椅子は、座板の前縁部が、脚部（脚杆）の前方に突出して位置し、前後の脚杆を有するものでは前部の脚杆の前方に座板の前縁部が突出して位置している（特許文献１参照）。
【０００３】
特許文献１の椅子を図６において側面図として示した。
椅子１００は、図では側面視略逆Ｖ形の脚部１０１を有し、脚部１０１は、前下方に延びる前部脚杆１０２と後下方に延びる後部脚杆１０３と、前後の脚杆１０２，１０３間の上部間を繋ぐ連結部１０４からなる側面視略逆Ｖ形の左右の脚１０５を有する。
座部１０６は、左右の脚１０５，１０５間の上部の連結部１０４間に架設されており、座部１０６は座板１０７と、座板１０７の後部から後傾するように立設された背板１０８とからなる。
【０００４】
以上の従来の椅子は、臀部を支持する座板１０７は、その前縁部１０７ａが、前部脚杆１０２の前端部、図では前部脚杆１０２の上部前縁部分である連結部１０４の前端部１０４ａよりも大きく前方に突出して位置している。
特許文献１の椅子に限られず、従来の椅子は、座板の前縁部が、座板が取り付けられている前部脚杆の前方、或いは脚杆の前方に大きく突出して位置している。
【０００５】
上記した従来の椅子に乳幼児が座った場合の課題を図７で示した。
乳幼児１１０は、椅子１００の座板１０７の奥に臀部１１１が位置するように深座りさせても、椅子の上で前後左右に動いたりし、座板１０７上を前方に移動し、往々にして浅座りとなる傾向が多い。
その傾向が過ぎると、ヒップポイントＰが座板１０７の前縁部１０７ａに近づき、前縁部１０７ａが前部脚杆１０２の前縁部１０４ａよりも前方となり、ヒップポイントＰの前方へのオーバーハング量が大きくなる。
【０００６】
特に乳幼児用の椅子では、図７に示すように左右の前部脚杆１０２の下部間に踏み板１０９を設けたものが多い。
幼児１１０は、踏み板１０９に足１１２を載せ、足１１２を踏ん張ったりして前方に移動したりし、ヒップポイントＰが前方に移動していることと併せ踏み板１０９に載せた足１１２に体重をかけたりすることが多い。
この結果、図の左回り（反時計方向）に偶力が作用し、矢印ａで示すように椅子１００が前側に倒れる場合がある。
従来の椅子における上記した課題は、特に椅子の使用を開始するようになる１０ヶ月〜１８ヶ月の乳幼児に顕著に顕れる。
【先行技術文献】
【特許文献】
【０００７】
【特許文献１】意匠登録第１２８９９８６号公報
【考案の概要】
【考案が解決しようとする課題】
【０００８】
本考案は、従来の乳幼児用の椅子の上記した課題を解決すべくなされたものでる。
本考案は、乳幼児が座り、座板に対して浅座りしたとしても倒れを確実に防止し得る椅子を提供するとともに、踏み板を併設した場合においても、底板に浅座りし、且つ踏み板を踏んで立ち上がりかけた場合等においても、倒れを確実に防止し得る椅子を提供することを目的とする。
【課題を解決するための手段】
【０００９】
上記課題を解決するために、請求項１に係る考案は、乳幼児用の椅子であって、上部の連結部と、該連結部の前後端部から下方に垂下された前後部の脚杆とからなる左右の脚と、左右の脚部を繋ぎ、座部を支持する支持杆とを備え、座部は支持杆上に支持される座板を備え、座板の前縁部は、前部脚杆の前端部よりも後方に位置するようにしたことを特徴とする。
【００１０】
請求項２に係る考案は、請求項１において、前後部の脚杆は、前部脚杆の下部が前方に位置するように前下傾し、後部脚杆の下部が後方に位置するように後下傾し、連結部は、前後部の脚杆の上部間を繋ぐ肘掛け杆であり、左右の脚は側面視略Ａ形であり、座板の前縁部は、前部脚杆よりも後方に位置していることを特徴とする。
【００１１】
請求項３に係る考案は、請求項１又は請求項２において、前部脚杆間であって、座板の下方には、踏み板を設けたことを特徴とする。
【００１２】
請求項４に係る考案は、請求項１〜３の何れか１項において、座板は後部から上方に延出された背板を備えることを特徴とする。
【００１３】
請求項５に係る考案は、乳児用の椅子であって、上部の連結部と、連結部の前後端部から下方に垂下された前後部の脚杆とからなる左右の脚と、左右の脚部を繋ぎ、座部を支持する支持杆とを備え、座部は支持杆上に支持される座板と座板は後部から上方に延出された背板を備え、座部の座板の前縁部は、前部脚杆の前端部よりも後方に位置し、前後部の脚杆は、前部脚杆の下部が前方に位置するように前下傾し、後部脚杆の下部が後方に位置するように後下傾し、連結部は、前後部の脚杆の上部間を繋ぐ肘掛け杆であり、左右の脚は側面視略Ａ形であり、座板の前縁部は、前部脚杆よりも後方に位置し、前部脚杆間であって、座板の下方には、踏み板を設けたことを特徴とする。
【考案の効果】
【００１４】
請求項１に係る考案では、乳幼児用の椅子を、上部の連結部と該連結部の前後端部から下方に垂下された前後部の脚杆とからなる左右の脚と、左右の脚を繋ぎ、座部を支持する支持杆とを備え、座部は支持杆上に支持される座板を備え、座板の前縁部は、前部脚杆の前端部よりも後方に位置するように構成したので、乳幼児が前座りしたとしても、乳幼児のヒップポイントは前部脚杆よりも後方となる。
従って、椅子の座板に前座りしたとしても、前倒れ方向への偶力が作用するのが防止され、座った状態で乳幼児が前方に移動し、座り方が浅座りとなったしても、椅子の前倒れを確実に防止することができる。
【００１５】
また、本考案では、乳幼児の浅座り姿勢に左右されることなく、確実に前倒れを防止し得る乳幼児用椅子を、椅子の特別の倒れ防止構造や装置を付随させることなく、座板の前縁部を前部脚杆の後方に位置させるという簡素な構成で実現することができる。
【００１６】
請求項２に係る考案では、請求項１において、前後の脚杆は、前部脚杆が下部が前方に位置するように前下傾し、後部脚杆の下部が後方に位置するように後下傾し、連結部は、前後の脚杆の上部間を繋ぐ肘掛け杆であり、左右の脚は側面視略Ａ形であり、座板の前縁部は、前部脚杆よりも後方に位置しているので、特に前後の脚杆が前下傾、後下傾することで脚杆の踏ん張りが利き、安定した乳幼児用椅子が得られる。
また、座板の前縁部が略Ａ形の脚の前部脚杆よりも後方なので、乳幼児が浅座りしても乳幼児の臀部から大腿部にかけて前部脚杆の上部内側となり、乳幼児の側方への移動を規制し、安定した座りを維持することができる。
【００１７】
請求項３に係る考案では、請求項１又は請求項２において、前部脚杆間であって、座板の下方には踏み板を設けたので、足を踏み板に載せて体重をかけたとしても、座板の前縁部が前部脚杆の前端部よりも後方となり、ヒップポイントは座板の前縁部よりも後方なので、踏み板を備えていたとしても椅子の前倒れを防止することができる。
【００１８】
請求項４に係る考案では、請求項１〜３の何れか１項において、座板は後部から上方に延出された背板を備えるので、乳幼児が後方の背板で支持され、背中の支持が確実に行える。
【００１９】
請求項５に係る考案では、乳幼児用の椅子は上部の連結部と該連結部の前後端部から下方に垂下された前後の脚杆とからなる左右の脚と、左右の脚を繋ぎ、座部を支持する支持杆とを備え、座部は支持杆上に支持される座板を備え、座板の前縁部は、前部脚杆の前端部よりも後方に位置するように構成した。
これにより、乳幼児が前座りしたとしても、乳幼児のヒップポイントは前部脚杆よりも後方となり、椅子の座板に前座りしたとしても、前倒れ方向への偶力が作用するのが防止され、座った状態で乳幼児が前方に移動し、座り方が浅座りとなったしても、椅子の前倒れを確実に防止することができる。
また座板は、後部から上方に延出された背板を備えるので、乳幼児が後方の背板で支持され、背中の支持を確実に行うことができる。
【００２０】
また前後の脚杆は、前部脚杆が下部が前方に位置するように前下傾し、後部脚杆の下部が後方に位置するように後下傾し、連結部は、前後の脚杆の上部間を繋ぐ肘掛け杆であり、左右の脚は側面視略Ａ形であり、座板の前縁部は、前部脚杆よりも後方に位置しているので、特に前後の脚杆が前下傾、後下傾することで脚杆の踏ん張りが利き、安定した乳幼児用椅子が得られること、座板の前縁部が略Ａ形の脚の前部脚杆よりも後方なので、乳幼児が浅座りしても乳幼児の臀部から大腿部にかけて前部脚杆の上部内側となり、乳幼児の側方への移動を規制し、安定した座りを維持することができること、とする効果がある。
【００２１】
さらに本考案では、前部脚杆間であって、座板の下方には踏み板を設けたので、足を踏み板に載せて体重をかけたとしても、座板の前縁部が前部脚杆の前端部よりも後方となり、ヒップポイントは座板の前縁部よりも後方なので、踏み板を備えていたとしても椅子の前倒れを防止することができる。
【図面の簡単な説明】
【００２２】
【図１】本考案に係る乳幼児用椅子の外観を示す側面図である。
【図２】本考案に係る乳幼児用椅子の外観を示す平面図である。
【図３】本考案に係る乳幼児用椅子の外観を示す斜視図である。
【図４】本考案に係る乳幼児用椅子に乳幼児が正常の姿勢で座った状態を示す縦断側面図である。
【図５】図４と同様の乳幼児用椅子に乳幼児が座った状態を示す縦断側面図で、浅座りした状態における転倒防止作用を説明する作用説明図である。
【図６】従来の椅子の側面図である。
【図７】従来の椅子に乳幼児が浅座りした場合における課題を示す説明的側面図である。
【００２３】
本考案の実施の形態を添付図に基づいて以下に説明する。
なお、図面は符号の向きに見るものとする。
図１は本考案に係る乳幼児用椅子の外観を示す側面図、図２は同平面図、図３は同斜視図である。
これらの図面を参照して本考案に係る乳幼児用椅子の構成を詳細に説明する。
【００２４】
幼児用椅子１（以下椅子と記す）は左右の脚部２，２と、脚部２，２の後部間を繋ぐ横杆６と、後端部から上傾するように起立した背板１０及び座板９からなる座部８と、脚部２，２の前下部間に架設された踏み板１２を備える。
脚部２，２は左右対称形状であり、前下傾した前部脚杆３と後下傾した後部脚杆４とを前後に備える。
前部脚杆３と後部脚杆４の上端部は連結部５で連結されており、連結部５で肘掛け杆を形成する。
【００２５】
左右の脚部２，２の後部脚杆４，４の中間上部間には、これらを繋ぐ横杆６が左右方向に延びて架設されている。
また左右の脚部２，２の前後の前部脚杆３と後部脚杆４の中間上部間には、前後に渡り側杆７（支持杆）が延設されている。
【００２６】
側杆７は、図２、図３で明らかなように前後方向に延び、前端部７ａを左右の前部脚杆３の中間上部に内側から接合されて連結一体化されており、側杆７の後端部７ｂは、前記した横杆６に接合されて連結一体化されている。
尚、左右の側杆７，７は、図２に示したように、前部が左右の前部脚杆３，３の内側に対称的に膨出して後方に直線状に延び、上記したように横杆６に接合され、左右の側杆７，７は左右対称形状である。
【００２７】
左右の脚部２，２は、前部脚杆３、後部脚杆４及びこれの上端部を繋ぐ連結杆である肘掛け杆５、側杆７の構成により、図１で明らかなように側面視略Ａ形である。
以上の左右の脚部２，２は、実施例では金属製の丸パイプ材で形成した。
【００２８】
座部８は臀部を支持する座板９と、座板９の後端部から上方に起立する背板１０とからなり、実施例では、背板１０は若干後上傾しており、木質板材や樹脂板材で座板９、背板１０は一体に形成されている。
座部８の座板９は、左右の側縁部９ｂ、９ｂが左右の脚２，２の内側に隙間をもって臨み、側縁部９ｂ、９ｂの内側の下面を左右の側杆７，７の直線状部分に載せ、ネジ１１…（…は複数を表す。以下同じ）で側杆７，７に固着されている。ネジ１１…は、説明の便宜上図２の平面図のみに示した。
【００２９】
左右の前部脚杆３，３の下部間には踏み板１２を架け渡して設ける。
踏み板１２は、横の寸法が大きく、前後の寸法が小さい平面視横長矩形の板状材で形成されている。
踏み板１２の支持部材１３は、左右の側枠部１３ｂ，１３ｂと前枠部１３ａとを一体に備える平面視凹状であり、側枠部１３ｂ，１３ｂの前後方向中間部を前部脚杆３，３の下部内側に接合して支持部材１３を架設する。
支持部材１３は、左右の脚部２，２と同様に、実施例では金属製の丸パイプ材で形成した。
【００３０】
踏み板１２は、前部１２ａ及び左右の側部１２ｂ，１２ｂを支持部材１３の前枠部１３ａ、側枠部１３ｂ，１３ｂに載置し、側枠部１３ｂ，１３ｂ上に踏み板１２の左右の側部１２ｂ、１２ｂをネジ１４・・・で固着した。
踏み板１２は、前半の略１／２が前部脚杆３の下部の前方に突出し、後半の略１／２が前部脚杆３の下部の後方に突出している。
【００３１】
以上において、図１に示すように座部８の座板９の前縁部９ａを、前部脚杆３において座板９が位置する部分の前端部３ａよりも十分後方に位置させ、前端部３ａから距離Ｌを開けて配置する。
実施例のように前縁部９ａを前部脚杆３における座板が位置する部分の後端部３ｂよりも後方に位置させ、前縁部９ａは、側杆７，７の前端部よりも十分に後方に位置させる。
【００３２】
図４は、乳幼児１５が椅子１の座部８に座った状態を示している。
通常の座り状態では、乳幼児１５の臀部１５ａのヒップポイントＰは、座板９の全長の略々半分程度の位置、或いはこの位置の近傍か前後の部分であり、足１５ｂは踏み板１２の上に載っており、座板９と踏み板１２との高さは、座板９に座った状態で乳幼児の足の長さを考慮して踏ん張れる程度の高さである。
【００３３】
尚本実施例では、１０ヶ月から１８ヶ月の乳幼児の一般的な体型に合わせて座板９を短く設定しているため、深座り状態のときには、足を踏み板１２に載せた状態で乳幼児の背中が背板１０にくっつく状態となり、筋力が発達していない乳幼児でも安定した状態で座ることを可能としている。
【００３４】
図４は通常の着座状態を示しており、図５は、図４の状態を逸脱して浅座りした状態を示している。
乳幼児１５は、椅子１に着座しているとしても、前後左右に体を動かしたり、踏み板１２上において足を踏ん張ったりして落ち着かない。
この結果、座板９上において前方に移動したりし、臀部１５ａが座板９の前側の部位に移動し、ヒップポイントＰが座板９の前縁部９ａに近い位置まで移動する場合がある。
【００３５】
この状態を図５で示した。
例えば、図５において、ヒップポイントＰと座板９の前縁部９ａとの間の距離がＬ１と近くなり、ヒップポイントＰと前部脚杆３の前端部３ａとの間が距離Ｌ２となる。
本考案では、常にＬ１＜Ｌ２となる。
この結果、図５において右回転（時計方向）の偶力が作用し、浅座りしたとしても、椅子が前方に転倒することを防止することができる。
【００３６】
また、前部脚杆３は前下傾しているので、前部脚杆３の接地部とヒップポイントＰとの間には距離Ｌ３が設けられこととなり、距離Ｌ３は上記した距離Ｌ２よりも大きいので、踏み板１２に足を載せて踏ん張ったりしても、前方への倒れは防止される。
【００３７】
尚、図５に示したように、乳幼児１５が座板９に浅座りしたとしても、乳幼児の臀部から大腿部の左右には前部脚杆３の上部３ｃ、肘掛け杆５の前部が臨み、座板９上における横滑りを防止することができる。
また、この座板９の横方向の長さは、１０ヶ月から１８ヶ月の乳幼児の平均的なサイズを考慮して設定されている。
従って、幼児が椅子の側方に横滑りすることは無い。
【００３８】
以上図示した実施例を説明した。
本実施例では、前後の左右の脚２，２を、前後の脚杆３，４を含んで逆Ｖ形とし、側枠を含んで略Ａ形とした。これにより、、椅子同士を複数安定して積み上げることが可能である。
これに代え、前後の脚杆３，４が略々平行である逆凹形の脚を有する椅子においても実施することができる。
要は脚が前後の脚杆を有し、脚で支持される座板の前縁部が、前部脚杆の前端部よりも十分に後方に位置していれば良く、本実施例と同様の作用・効果を得ることができる。
【産業上の利用可能性】
【００３９】
本考案に係る乳幼児用椅子は、椅子の使用を開始する１０ヶ月から１８ヶ月の乳幼児が用いるのに好適する。
【符号の説明】
【００４０】
１…乳幼児用椅子、  ２…脚部、  ３…前部脚杆、  ３ａ…前部脚杆の座板相対位置の前端部、  ４…後部脚杆、  ５…連結部（肘掛け杆）、  ６、７…支持杆である側杆及び横杆、  ８…座部、  ９…座板、  ９ａ…座板の前縁部、  １０…背板、１２…踏み板。
【図１】
0003190785.tif 000003
【図２】
0003190785.tif 000004
【図３】
0003190785.tif 000005
【図４】
0003190785.tif 000006
【図５】
0003190785.tif 000007
【図６】
0003190785.tif 000008
【図７】
0003190785.tif 000009